(57)【要約】      （修正有）【課題】用便後に手指を洗浄する前に触った器具を介して感染性有害細菌が他者にも感染するため、食中毒の集団感染の一因になっている。何物にも手指で触れることなく消毒、洗浄、乾燥、殺菌を行える腰かけ式水洗トイレシステムを提供する。【解決手段】腰かけ式水洗トイレの便器が、直流モータ５０を使った動力回転モードと、使用者が便座に座ったまま足で床を蹴って回転する人力回転モードの双方を備え、排便や排尿をする基準位置Ｓから角度θで回転中心Ｄから距離Ｌの位置に非接触自動手洗い装置２０を配置したトイレシステム。【選択図】図１
2017101480.tif 000002
【特許請求の範囲】
【請求項１】
トイレ使用者が便座に座ったまま便器全体の角度を変えることが可能な回転構造を備えている腰かけ式水洗トイレ便器と、なおかつ、排泄を行う基準位置Sから便器を回転して洗浄位置Fで手洗い装置と正対し、便座に座った状態で、手洗い流水垂下位置で両手を洗浄することが出来る非接触自動手洗い装置を備えたことを特徴とする腰かけ式水洗トイレシステム。
【請求項２】
水洗便器がスラストころ軸受の上部に据え付けられており、スラストころ軸受の下部はトイレ室の床に固定されていて、便器の汚物排水管が下水管の内側に鉛直方向に挿入され、２つの配管の中心線がスラストころ軸受の回転中心と整合しており、なおかつ、便器と使用者の荷重がスラストころ軸受を介してトイレ室の床面で支えられていることを特徴とする請求項1の腰かけ式水洗トイレシステム。
【請求項３】
直流モータの回転軸に直結しているモータ回転ローラーとスラストころ軸受の上部ベアリングレール側面の間に中間回転伝達ローラーを設け、中間回転伝達ローラーはソレノイドプランジャーの先端部に取り付けられており、ソレノイドがＯＮすると直流モータの回転力をスラストころ軸受に伝達し、その上部に取り付けた便器を回転させる電動回転モードと、一方、ソレノイドがＯＦＦの時は、足でトイレ床を蹴って便座を回転できる人力回転モードを合わせ持っていることを特徴とする請求項２の腰かけ式水洗トイレシステム。
【請求項４】
スラストころ軸受の上部に据え付けられた便器は所定の角度θを往復する回転であることを特徴とする請求項１から３の腰かけ式水洗トイレシステム。
【請求項５】
請求項1から請求項４を満たした回転便器を備えた腰かけ式水洗トイレと、一連の洗浄処理を非接触自動で行う機能を有した手洗い装置があらかじめ造り付けされた一体型の水洗トイレ室ユニット。
【発明の詳細な説明】
【技術分野】
【０００１】
本発明は、腰かけ式水洗トイレシステムに関するものである。
【背景技術】
【０００２】
非特許文献１に報告されている内容を要約すれば、「調理従事者がノロウイルス感染者となれば、トイレを介して他の調理従事者に感染が広がり、また同時に食品が長期間ノロウイルスに二次汚染され大規模食中毒の発生につながっていく。」と指摘されている。しかもその解決策として「用便後及び調理開始前の手洗いの徹底、加熱調理以降の手洗いの徹底による食品及び調理器具への手指汚染の完全防止がもとめられている。」特に、「用便後の適切な手洗い」が大切であり、「ノロウイルスが大量に排出されるのはトイレである。下痢鞭や嘔吐物がトイレを濃厚汚染し従事者に感染拡大や調理施設を汚染してゆくまさに元凶といえる。」と指摘している。
【０００３】
トイレ動作において、何らかの原因で感染性有害細菌または感染性有害細菌を内在した糞便がトイレ使用者の手指に付着し、トイレのスイッチに触る、用便後に衣服を整えるとか、ドアノブや水洗フラッシュノブ、手洗い水道栓などに手指が触れる動作を介して多くの使用者に次々に感染し、広まってゆく感染経路が考えられる。
【０００４】
また非特許文献２には「トイレ使用時に最も糞便による汚染が考えられる右袖口、同袖下および左袖口からノロウイルスが検出された。調理従事者がトイレ使用時に糞便で衣服を汚染し、さらに衣服から調理器具、食品を二次汚染して食中毒の発生に繋がった可能性が強く示唆される。」ことが報告されている。
【０００５】
本願と特許文献１との技術対比説明をします。
本願は特許文献１（出願2015-181321号）に関連して、同一発明者が出願するものであり、本願の目的は特許文献１と同じであるが、課題解決の手段が相違している。
【０００６】
すなわち、排便後にトイレットペーパーを使って局部を拭いた後、すぐに非接触自動手洗い装置と正対する角度にまで水洗便器の便座に腰かけて座ったまま身体を回転させる。そして、少なくとも局部を拭いた手指は、何物にも手指で触れることなく消毒、洗浄、乾燥、殺菌を行える腰かけ式水洗トイレシステムを提供する。その結果、トイレ動作を介した感染性有害細菌（ノロウイルス、ロタウイルス、サルモネラ菌、大腸菌など）の集団感染を少しでも防止したいことは本願と特許文献１の共通の目的である。
【０００７】
その目的を達成するための解決手段として、特許文献１は、足でトイレ床を蹴って回転便座を回転させて手洗い装置非接触自動手洗い装置に正対し、手指を手洗い装置に差し込み、自動的に手指を清浄にしている。
【０００８】
しかし、特許文献１には、便座を２層構造にすることで便座を暖める加温装置の電源配線構造が複雑になる。また、便座に座って足がトイレ床に届かない人や子供、非力な高齢者が足で便座を回転させることが難しくなることに問題がある。
【０００９】
本願は、便器を回転機構の上に設置して、トイレ使用者が便座に座ったまま便器全体を回転させることを特徴としている点で特許文献１と相違している。
さらに、本願の回転機構によれば特許文献１と同様に足で床を蹴って便器を回転させることも出来るし、足で便器を回し難い人には電動モータの駆動力で回すこともできる機能を付加してある点で特許文献１と相違する。また、便器自身は通常の便器と便座を使用できる利点がある。しかも、本願の技術目的とその効果は特許文献１と同様に得られるものである。
【００１０】
特許文献２は「便器が回転する水洗トイレ」に関する特許である。便器本体（１）から伸びる排水管（５）がアンギュラー軸受に挿入されて自由に回転する構造である。また、排水管（５）がトイレ使用者の荷重を支えることと、回転する回転柱（a rotary shaft）（４）となっていてアンギュラー軸受に繋がっている特徴がある。本願は便器とトイレ使用人の加重を、スラストころ軸受を介してトイレ床面で支えていて、決して汚物排水管や下水管には荷重が負荷されない構造となっている。また、便器が回転する角度は所定の角度θだけ回転して、一回転することは無い。さらに、距離Ｌの位置にある非接触自動手洗い装置に正対して手洗い洗浄を衛生的に行うことによって課題を解決している点においても特許文献２の特徴とは相違している。
【００１１】
特許文献３は、「ブレーキを備えた回転便器」に関する特許である。回転便器は障害者が車椅子から便器に移る時、また、便器から車椅子に戻る時にブレーキ付き回転便器が補助となり便利である」観点から発明された。便器の回転は便器１の下面と土台２の上面が接触する面にグラファイト加工がされており、円形の土台２の中で便器１が回転する。グラファイト加工により摩擦が少なく回転は滑らかである。本願の便器回転機構が、便器全体をスラストころ軸受が支えて回転する点で大きく相違している。
【００１２】
特許文献４は、複数の便器が回転軸を対照に結合されており、その複合された便器全体をプーリで繋ぎ、電動モータ１３の回転で回転する。効果としては常に一つの便器は洗浄済であり、使用後の便器は洗浄室側に回転して便器洗浄手段によって洗浄される仕組みの特許である。
本願とは複数の便器を回転している点で相違している。
【００１３】
特許文献５は、「複数の便器が１個の円筒状汚物槽の周囲に排水管で接合されている。円筒状汚物槽の上部と下部には回転軸があり、また、チェーンベルト装着ギアが取り付けられていて、モータによって回転駆動する」ことが開示されている。本願とは複数の便器を回転させている機構において相違している。
【先行技術文献】
【特許文献】
【００１４】
J-PlatPatを使って「回転便器」で検索いたしました。日本特許・実用新案が３件、欧米中の特許・実用新案は１件がヒット致しました。特許文献１は本願と同一発明者が出願中の関連特許として対比説明する対象としました。
【特許文献１】特願２０１５−１８１３２１号
【特許文献２】中特抄１０３５４１４１８号公報
【特許文献３】特開２００３−１４７８４２号公報
【特許文献４】特開平０７−０７１０６７号公報
【特許文献５】特許２８２１４７１号公報
【非特許文献】
【００１５】
【非特許文献１】国立感染研究所感染症情報センター２０１２年４月１０日掲載「従事者衣服からノロウイルスを検出した集団食中毒事例についてー長野県」http://www.nih.go.jp/niid/ja/norovirus-m/norovirus-iasrs/1837-pr3871.html
【非特許文献２】一般財団法人  食品分析開発センター  庄司  正著「どうして防げないのか、ノロウイルス食中毒。発生事例から考える」http://www.mac.or.jp/mail/140201/02.shtml
【発明の概要】
【発明が解決しようとする課題】
【００１６】
従来型の腰かけ式水洗トイレシステムを使う時、トイレ使用人がトイレ室に入室して室外に出るまでのトイレ動作については、特許文献１の明細書の段落（０００３）に詳細に記述している。注目すべきは、現状の腰かけ式水洗トイレシステムを使用すると、排便後から、手指が洗浄されて清潔な状態になるまでの動作の中に、感染性有害細菌や糞便の付着した可能性のある手指で「物」に触っている動作が多くあることである。例えば、排便後にフラッシュ洗浄のための「ノブ」に手指で触る。立ち上がり、「衣服を整える」時に手指を使って整える。手指洗浄のために「水道栓」を握って開閉する。または、手洗い装置がトイレ室の外にある場合は、「ドアーのノブ」を手指で握る。照明を消すために「スイッチ」に手指が触れる。以上のようなトイレ動作を通じて手指に付いた糞便や感染性有害細菌を播き散らかして、次々に多くの人に感染し、拡大する元凶になっている。
非特許文献１および非特許文献２で指摘されているように、もし糞便に感染性有害細菌（ノロウイルス、ロタウイルス、サルモネラ菌、大腸菌など）が高濃度に生息している場合の事を考えると、「新しい水洗トイレシステムを提供して、感染経路を断ち切るトイレ動作に改善し、感染性有害細菌が広まることのないようにすること」が本願の目的である。
【００１７】
本願の腰かけ式水洗トイレは、トイレ使用者が排便後にトイレットペーパーで局部を拭いた直後に、便器全体を所定の角度まで回転して、所定の角度と距離の位置に非接触自動手洗い装置を設置することを考案した。しかしながら、特許文献１と同様に、足でトイレ床を蹴って便器を回すには便座に座って足が充分にトイレ床まで届く体格の人で、回転させる体力を持っていることが求められる。足が届かない人や子供、高齢者の事を考慮すると、人力ばかりでなく電動モータの駆動力でも便器を回転できる回転機構も合わせ持っていることが望ましい。
【００１８】
水洗トイレ便器全体を基準位置Ｓからθ度回転して洗浄位置Ｆ方向に身体を向ける便器回転構造は、回転便器の回転中心Ｄは下水管の中心や便器の汚物排水管の中心と整合していて、回転しても支障のない構造でなければならない。
本願は以上の技術的課題を解決し、実施例１から実施例３に開示する。
【発明の効果】
【００１９】
本発明によって得られる効果は、次に示すトイレ動作が用便後に手指を汚染した場合にも、排便や排尿の直後に、少なくとも局部を拭いた手指で何物にも触れることなく、非接触自動で手指を洗浄できるトイレシステムになっているから、トイレ器具、電気スイッチ、ドアノブ、衣服などを汚染された手指で一切触れることがなくなる。衛生的なトイレ動作が可能となり、有害細菌が蔓延する感染経路を遮断することができる。その結果、トイレを介した感染性有害細菌の感染拡大を効果的に防止することができる。
【００２０】
本発明になる腰かけ式回転便器２と、非接触自動手洗い装置２０を使ったトイレ室内のトイレ動作を、足で床を蹴って便器２を回転させた場合について図１〜図５を用いて説明すると以下のようになる。
第１段  トイレ使用人は、排便または排尿をするためトイレ室の照明をＯＮし、トイレ室ドアー１６を開けて入室する。ドアーロックを閉める。
第２段  便器蓋１３を開ける。
第３段  腰かけ式水洗便器２の前で後ろ向きになる。そして排便または排尿に必要な人体の局部を露出するために下半身の衣服を降ろす。
第４段  水洗トイレの便座５に後ろ向きの状態で腰かける。（基準位置Ｓ）
第５段  排便または排尿を行う。
第６段  排便または排尿した人体の局部には排泄物の一部が付着しているため、トイレットペーパー供給装置１８からトイレットペーパーを切り取り、肛門あるいは排尿器官などの局部を、手指を使いトイレットペーパーにて拭き取る。
第７段  または第６段は、排便または排尿後に肛門部や排尿器官付近を温水シャワーノズル３５にて洗浄した後に、手指を使ってトイレットペーパーにて拭き取っている場合もある。
第８段  次に、トイレ室床１を足で軽く蹴って便器２全体を回転させ、非接触自動手洗い装置２０に正対または手洗い可能な角度θにまで便座５に座ったまま身体を回転する。（洗浄位置Ｆ）
第９段  洗浄位置Ｆで非接触自動手洗い装置２０の手差し込み口３１に手を差し込むと赤外線センサー２２が感知して手洗い装置自動シーケンサー３０が動作開始し、消毒石鹸液注出ノズル２３から消毒石鹸液が手に注がれる。消毒石鹸液にて手洗いを行う。次に一定の時間後に流水注出ノズル２４から流水が自動的に流れ出し流水手洗いを行う。所定時間後に流水は停止し、続いて水切り乾燥温風２５の吹き出しによる水切り、温風乾燥が行われる、紫外線照射ランプ２７による紫外線殺菌が乾燥中に連動動作する。
第１０段  手差し込み口３１から手を引き抜くと赤外線センサー２２が感知して全ての洗浄シーケンスは終了する。
第１１段  手指が清浄になったら、再びトイレ室床１を第８段とは反対方向に足で軽く蹴って回転便器２を回転させ、基準位置Ｓまで回転便器２と使用者の身体を向き直らせる。
第１２段  基準位置Ｓにてトイレ使用者は立ち上がって衣服を整え、水洗フラッシュノブを押して汚物を便器から下水管へ流す。
第１３段  便器蓋１３を閉める。
第１４段  トイレ使用者はトイレ室のドアー１６のドアーロックを開け、ドアノブ１７を回して開けて、退出する。照明スイッチをＯＦＦする。
以上に示すように、使用者は用便を終了し、トイレットペーパーにて局部を拭いた直後に、手洗い装置２０に手を差し込み非接触自動で手指の洗浄処理を行うことができる。
【図面の簡単な説明】
【００２１】
【図１】本発明になる水洗トイレシステムが備わったトイレ室の平面概要図
【図２】図１のＡ―Ａ線断面
【図２Ａ−１】図２のＡ部拡大図
【図２Ａ−２】スラストころ部
【図２Ａ−３】図２Ａ−２のＢ−Ｂ線断面
【図２Ａ−４】スラストころ軸受の断面
【図２Ｂ】図２のＢ部拡大図
【図３−１】電動便器回転機構の断面要部図
【図３−２】電動便器回転機構の平面要部図
【図４】電動便器回転機構の動作タイムチャート
【図５】図１の非接触自動手洗い装置の正面図
【発明を実施するための形態】
【実施例１】
【００２２】
図１には本発明の目的を実現するための腰かけ式水洗トイレ便器２が基準位置Ｓにあり、非接触自動手洗い装置２０が基準位置Ｓから角度θで距離Ｌの位置に設置されている水洗トイレシステムとトイレ室ユニットが図示されている。また、便器２がθ度回転した洗浄位置Ｆも一点鎖線で示してある。電動駆動のシステムとして、ソレノイド電源がＯＦＦで、直流モータ５０の駆動力が働かない状態の図を示している。
【００２３】
水洗トイレ使用者が段落（００２０）に示すトイレ動作の第４段から第７段までと第１１段から第１２段までの間に便座５に座って身体が向いている方向が基準位置Ｓであり、そして、第８段から第１０段までの間に便座５に座って身体が非接触自動手洗い装置２０に向いている方向が洗浄位置Ｆである。
【００２４】
すなわち、本発明になる衛生的なトイレ動作を得る水洗トイレシステムは、回転便器２をスラストころ軸受１２の上部に乗せて回転中心Ｄを中心に軽い力でθ度回転する便器回転構造と、便座５に座ったまま手を挿入したら洗浄できる非接触自動手洗い装置２０を回転中心Ｄからの距離Lの位置に配置している特徴がある。
【００２５】
ちなみに、基準位置Ｓとは、略、楕円形をしている便器及び便座の長手方向の中心線が便器回転中心Ｄを結ぶ線を基準位置Ｓと呼び、その位置で排便排尿を行う。回転便器２が基準位置Sから洗浄位置Fまで回転する角度ＳＤＦがθ度であり、回転角θは  １０度≦θ≦９０度  の範囲が望ましい。好適には  ３０度≦θ≦７０度  である。理想的には非接触自動手洗い装置２０に正対して両手をこすって洗うのが望ましい。小さい回転角θの位置に手洗い装置２０を配置すると、便器２のすぐ前に手洗い装置２０があって、トイレを使用する人が立入り難いほど狭くなるし、身体を回転して、衣服を整える動作もやり難くなる。一方、あまりに手洗い装置２０を９０度以上の位置に配置すると、足で蹴って回転する時にはトイレ床を大きく蹴らねばならず、容易でない。
【００２６】
また、距離Lは回転便器２の回転中心Ｄから非接触自動手洗い装置２０の手洗い流水が垂下する位置２４までの距離である。トイレ使用者の体格にもよるが  ３０cm≦L≦９０cm  の範囲で、好適には  ４０cm≦L≦５０cm  が望ましい。距離Ｌが近すぎると手洗い装置２０と便座５の間が狭すぎて、便座５に座り難い。また、距離Ｌが離れていると手洗いの時、便座５に座ったまま上半身を乗り出して手を差し込まなければならず、また、下半身の衣類を降ろした状態では極めて手洗い動作はやり難くなる。
【００２７】
非接触自動手洗い装置２０を使うと何ら手、指でスイッチに触れることなく消毒石鹸液や手洗い流水の流出/止水、水切り温風乾燥や紫外線照射をON/OFFできる。処理時間の条件設定は自動シーケンサー３０にて動作制御管理されている。
【００２８】
かかる手洗い装置自動シーケンサー３０の電子回路、センサー、ノズルなどの技術内容は既存技術の組み合わせで容易に実現できるので本発明の請求範囲には含めない。
【００２９】
図２は図１のＡ―Ａ線断面図であり、腰かけ式水洗回転便器２の回転機構の構造と汚物排水管構造を概略示した図である。水洗便器２とトイレ床面１の間にスラストころ軸受１２を設置してそれぞれと固定してある。スラストころ軸受１２の回転中心Ｄが回転便器２の回転中心Ｄとなり、さらに、便器２の汚物排水管３７の鉛直部の中心線と精度よく整合している必要がある。また、便器２の汚物排水管３７の外径は、下水管３８の配管内径よりも小さく、なおかつ、下水管３８の中に深く挿入してある。従って、回転便器２の回転軸Ｄはスラストころ軸受１２の回転中心Ｄと、汚物排水管３７の中心および下水管３８の中心線とが一致していなければならない。便器２とトイレ使用人が便座５に座った時の荷重は全てスラストころ軸受１２を介してトイレ床１に掛かり、汚物排水管３７や下水管３８には荷重が掛からない構造になっている特徴がある。
【００３０】
図２Ａ−１は図２のＡ部拡大図である。スラストころ軸受１２の上部に便器下板６を挟んで回転便器２が固定されている。また、スラストころ軸受１２の下部が便器受板１１を挟んでトイレ床面１に固定されている構造を示している。    
図２Ａ−２は円筒形ベアリング８が中心Ｄに向かって点対称にベアリングホルダー９に埋め込まれたスラストころ部の平面図である。
図２Ａ−３は図２Ａ−２のＢ−Ｂ線断面の円筒形ベアリング８とベアリングホルダー９の断面図を示している。円筒形ベアリング８はボールベアリングよりも接地面積が大きく取れ、耐荷重性能に優れる。また、転がり摩擦抵抗は比較的小さい。図２Ａ−４は、スラストころ軸受１２の断面を示し、円筒形ベアリング８の上下両面にベアリングレール７と１０で挟み込まれて組み立てられた形態がスラストころ軸受１２であることを示している。下部ベアリングレール１０を固定して、上部ベアリングレール７の外周側面４４に歯車状の凹凸を設け、歯車のようにかみ合わせて、電動モータの回転力を得るならばスラストころ軸受１２とその上に固定した便器２を回転させることができる。
【００３１】
スラストころ軸受として市販製品の形態は、一般的な低回転の用途には、円筒ころ形ベアリングや円錐形ころをベアリングホルダーの中心点向かって対称形に埋め込んだスラスト調心ころ軸受がある。さらに耐荷重性能を高めるには、円筒ころを直角に交差させたクロスローラリング軸受などがある。スラストころ軸受の形状として直径１メートルを超える特殊なものもある。材料は鋼材、真鍮、銅、アルミニュウム、樹脂など用途に応じて種々の軸受が市販されている。
【００３２】
図２Ｂは、図２のＢ部拡大図である。便器２の汚物排水管３７と下水管３８の接続部の断面を示した図である。回転便器２の汚物排水管３７の外径より大きな内径の下水管３８を用意し、汚物排水管３７の外面にＯリング３９を付けて、そのＯリング３９の外径と同じか、若干大きめの内径を持つ下水管３８を準備しておく。図２Ｂでは１本のＯリング３９を示したが複数のＯリングをはめても良い。Ｏリング押さえ具４０，４１が形成されている。このＯリングはトイレ室に悪臭逆流防止として働く。また、便器２と汚水排水管３７が回転したときに下水管３８と直接接触しないように緩衝材の意味でも設置してある。
【００３３】
トイレ使用者が用便後に手洗い装置２０に手指を差し込んで非接触自動手洗いを行う洗浄位置Ｆとは角度ＳＤＦが回転角度θ度を形成する。回転便器２の回転角度θは基準位置Ｓから時計回りθ度又は反時計回りθ度に回転することができる。しかし、トイレ動作に必要な回転方向は便器２と手洗い装置２０が配置されている位置関係で決定される。すなわち手洗い装置２０が水洗便器２の右側か左側に配置され、回転便器２の便座５に座ったまま手を差し込み、両手の流水手洗いが行える洗浄位置Ｆの角度θと距離Ｌに配置されるからである。回転便器２はこのトイレ動作を可能とする角度まで回転することが求められるが、必要以上の角度に便器２を回転することは不要である。したがって、基準位置Ｓと洗浄位置Ｆで回転便器２の便座５に座ったまま行うトイレ動作が安定化するように、回転ぶれ防止の一時固定具を付けても良い。
【００３４】
便器２全体を回転させる構造においては、市水供給管４２と固定配管で接続できないので、その一部の配管をフレキシブル配管にしておく必要がある。θ度の回転反復運動に対する耐性を持たせるには、図２に示すように、高圧水用のフレキシブル樹脂配管４３を螺旋状に巻き込んで配管することが望ましい。
【００３５】
回転便器２の便座５に座ったまま手洗い装置２０の方向に足でトイレ室床１を軽く蹴って、身体を方向回転して手洗い装置２０とほぼ正対する。そして手洗い装置フード３４の手差し込み口（座位）３１から手を差し込むと赤外線センサー２２が検知して洗浄シーケンスが始動する。手洗い装置フード３４は透明樹脂で外から内部の手洗いの様子が見えて、確認できることが望ましい。
【００３６】
洗浄シーケンスの一例として、消毒石鹸液ノズル２３から消毒石鹸液が注がれる。両手指をこすり合わせて約２０秒間の石鹸液手洗いを行う、その後、設定された時間後に流水注出ノズル２４から洗浄流水が手に注がれて流水洗浄が行われる。次に、水切り乾燥温風吹き出し口２５から温風が噴出して濡れた手の大部分の水分を吹き飛ばす。温風乾燥と合わせて紫外線照射ランプ２７が点灯し、手指に紫外線を照射し殺菌処理をする。手洗い差し込み口３１から手を抜き出すと赤外線センサー２２が感知して洗浄シーケンスは終了する。一連の手洗い処理が手洗い装置２０の中において非接触自動で完結される。
【００３７】
また、通常立ったまま用を済ませる男子小便に対しては、回転便器２に座ったまま手洗いする人と、立って手洗いする人が共通に使用できる非接触自動手洗い装置２０は、図５に示すように手の差込み口を座位３１と立位３２との２種類を用意し、開口部を広くしておくことが必要となる。次に、手洗いのための消毒石鹸液注出ノズル２３、流水注水ノズル２４、水切り乾燥温風吹き出し口２５のノズル位置を立位に合わせてやや高い位置に配置することも必要となる。
【００３８】
高い位置から液体類が下方に向かって注出されるから流し台に落ちた液体の跳ね返りが広い差し込み口３１から飛び出てこないように、また、高い位置に設置した水切り乾燥温風吹き出し口２５では、濡れた手の水切り乾燥でしたたってくる水滴が流し台の排水管２１に確実に流れ込むようにやや深めの流し台を用意すると同時に、流し台の排水管２１の途中で分岐した排気管２６から強制排気をして手洗い装置２０の洗い場空間に下向きの空気の流れを形成し、その気流に水滴が乗って排水管２１に流れ込むようにする。また、この手洗い装置排気管２６にトイレ室全体の排気機能を兼ねた排気量を設計しても良い。
【００３９】
回転便器２の便座５にトイレ使用者が座ったまま非接触自動手洗い装置２０に正対する位置まで回転するから、非接触自動手洗い装置２０の下部がトイレ使用者の膝頭に接触してはいけない。従って、手洗い装置２０において、手差し込み口３１の下の排水流し台は人物の膝を回避するようにえぐれている構造であることが必要である。
【００４０】
手洗い洗浄シーケンス処理のタイミング、組み合わせ、処理時間の長さ、処理強度などの条件設定はシーケンサー技術を使用して自由に設定される。
【００４１】
以上に説明したように、水洗トイレの回転便器２の便座５に座り、排便と排尿をした後に手指でトイレットペーパーを使って局部を拭き取った直後に、本発明の水洗トイレシステムでは手指の消毒手洗い、乾燥、殺菌まで手によるスイッチ操作や他の機器の接触を行うこと無しに完了することができる。
また本発明による第１２段のトイレ動作では、使用者が立ち上がって衣服を整え、フラッシュノブなどに触れるのは手指を洗浄した後であるから衣服やフラッシュノブを清潔に保つことができる。
【００４２】
またフラッシュ洗浄ノブを操作する装置の改良型として、光電的に人体の有無を検知して電磁弁をON/OFFして便器内の糞尿を流す方式や、便座から使用者が立ち上がった時に電気的にスイッチONしてフラッシュ洗浄水が流れる装置も市販されている。また、人が便器に近づくと便器蓋が自動的に跳ね上がって開く便器も開発されてきた。
これらの非接触自動装置を本発明トイレシステムに積極的に取り入れることにより、さらに衛生的なトイレシステムとなり得ることは言うまでもない。
【実施例２】
【００４３】
本願は、水洗便器全体２が手洗い装置２０に正対するまで回転する手段として、実施例１ではトイレ使用者の足でトイレ床を蹴って回転する回転モードを開示した。しかし、トイレ使用者の中には便座５に座ると足がトイレ床に届かない人や身長の低い子供、非力の高齢者が使用することもあるので、水洗便器２が電動モータの駆動力でも回転する回転モードを以下に開示する。
【００４４】
図３−１と図３−２には、直流モータ５０の回転力をスラストころ軸受１２の上部ベアリングレール７に伝えて、その上に固定してある便器２を回転する機構を説明している。直流モータ５０の回転軸５１には円筒型のモータ回転ローラー４９が取り付けられている。モータ回転ローラー４９とスラストころ軸受１２の上部ベアリングレール７の間には、ソレノイドスイッチ５２がＯＮされるとソレノイド４８のコイルに電流が流れて磁界を発生し、プランジャー４７が中間回転伝達ローラー４５を押し出す。
このモータ回転ローラー４９と中間回転伝達ローラー４５と上部ベアリングレール７とが接触結合している時にだけ直流モータ５０の回転力が上部ベアリングレール７に伝達し、さらに、それに固定されている便器２に回転が伝達されてゆく。
【００４５】
しかし、ソレノイド４８がＯＦＦされると中間回転伝達ローラー４５は図３−２の破線表示位置４６に示すように、プランジャー４７が引き込まれ、直流モータ５０と上部ベアリングレール７は接触結合していない状態になって便器２の回転は停止する。
【００４６】
通常トイレを使用しない時は、ソレノイド４８はＯＦＦ状態であるから、中間回転伝達ローラー４５は破線表示位置４６の状態にある。
【００４７】
便座５に座ってトイレ床１に充分足が届き、便器２を回転できる人はソレノイド４８のスイッチ５２をＯＮすることなく、便器２全体を所望する角度まで足で床を軽く蹴って回転することが出来る。
【００４８】
ソレノイド４８のスイッチ５２位置は、図１と図３−１に示したが、便座５の側面で、座った人物の臀部の近くに窪み部を作り、その窪みの中に設けてある。便座５に座ったり、立ち上がったりする通常の動作ではスイッチ５２に触れることは無い位置と構造になっている。ソレノイドスイッチ５２をＯＮする動作は、便座５に座ったまま、手指を使わざるを得ないが、ソレノイドスイッチ５２は便器２の両側に造ってあるので、局部を拭いた方の手指とは反対側の指で操作しなければならない。ソレノイドスイッチ５２はトリガースイッチで、いったんＯＮさせたら、外部からＯＦＦするまでＯＮの状態が保持される。将来、ソレノイドスイッチ５２をＯＮする動作を、手指を使わないで行う改良が望まれる。
【００４９】
以上のように本願では、便器２を回転する方法として、足でトイレ床を軽く蹴る人力回転モードと、ソレノイドスイッチ５２をＯＮにして直流モータ５０の駆動で便器２をゆっくり回転させる電動回転モードの機能を合わせ持っている特徴がある。
【００５０】
図３−２にスラストころ軸受１２の平面図中に上部ベアリングレール７の外周側面に取り付けた回転リミッタ５３とＳ位置にリミットスイッチ（Ｓ）５４とＦ位置にリミットスイッチ（Ｆ）５５が示されている。この２つのリミットスイッチは便器受板１１に固定されている。
【００５１】
便器２が基準位置Ｓ位置にある時は、回転リミッタ５３の突出部はリミットスイッチ（Ｓ）をＯＮ状態にしている。次にソレノイドスイッチ５２を手指でＯＮにすると、まず、ソレノイド４７に直流電流が流れて磁界を形成するとソレノイドプランジャー４７が飛び出して中間回転伝達ローラー４５をモータ回転ローラー４９と上部ベアリングレール７の回転伝達面４４に押し付ける。次に直流モータ５０がゆっくりと反時計回りに回転を開始して上部ベアリングレール７の回転伝達面４４へと回転が伝達される。こうしてスラストころ軸受１２の上部に固定されている水洗便器２が反時計回りに回転する。
【００５２】
直流モータ５０は直流電極の極性が（＋）の時、反時計回りに回転を保持するように設定しておく。回転リミッタ５３がリミットスイッチ（Ｆ）５５をＯＮするまで回転し続ける。
【００５３】
回転リミッタ５３がリミットスイッチ（Ｆ）５５をＯＮすると、直流モータ５０の電源が切れる。と同時に直流モータ５０の電極の極性が反転し（−）極になる。ソレノイドの電源もＯＦＦになるのでソレノイドプランジャー４７が引っ込み、中間回転伝達ローラー４５は図３−２の破線位置まで戻る。便器２の回転は洗浄位置Ｆで停止する。
【００５４】
便座５に座っている人は便器２の回転が止まると、非接触自動手洗い装置２０に正対する位置にまで回転している。そこで両手を手洗い装置２０の手差し込み口３１に両手を差し込んで手指の自動洗浄シーケンスが始められる。
【００５５】
手洗いが完了したら、便器２と身体を基準位置Ｓの位置にまで戻す必要がある。使用者は手指で再度ソレノイドスイッチ５２をＯＮにすると、まずソレノイド４８がＯＮになりプランジャー４７が押し出されて中間回転伝達ローラー４５がモータ回転ローラー４９と上部ベアリングレール７の軸受上部回転伝達面４４に強く押し付けられる。次に直流モータ５０の極性が（−）であるから、時計回りにゆっくりと回転を始める。今度は便器２が洗浄位置Ｆから時計回りに回転して基準位置Ｓに向かって回転する。回転リミッタ５３がリミットスイッチ（Ｓ）をＯＮし、直流モータ５０とソレノイド４８の電源をＯＦＦする。同時に直流モータの電流の極性を反転させる。便器２は基準位置Ｓに到達している。
【００５６】
便器２と身体が基準位置Ｓに戻ると、トイレ使用者は立ち上がって衣服を整える。トイレ動作の第１２段からの動作を行う。
【００５７】
Ｓ位置またはＦ位置において回転リミッタ５３がリミットスイッチをＯＮすると、直流モータ５０とソレノイド４８の電源をＯＦＦして、同時に、直流モータ５０の回転方向を定める極性反転するように設定されている。
【００５８】
図４にタイムチャートで段落（００５１）から（００５５）の各部品とスイッチの動作と状態を示した。
【００５９】
直流モータ５０の回転速度を早くする調整ダイヤルを付けても良いが、早すぎると危険である。
【００６０】
直流モータ５０の回転力を便器２が固定されている上部ベアリングレール７に伝える為には、各回転ローラー４９、４５と上部ベアリングレール７の軸受上部回転伝達面４４の接触面が互いにかみ合うように歯車状の凹凸形状になっている。また、耐用性を考慮すると材料もゴム、硬質樹脂、金属などが選定される。
【実施例３】
【００６１】
図1は、本発明になる腰かけ式回転便器水洗トイレシステムと非接触自動手洗い装置２０が適正な角度θで適正な距離Lにあらかじめ造り付けてあり、その他のトイレ設備として必要な設備があらかじめ設置されたトイレ室ユニットを示している。
【００６２】
回転便器２の回転角度θと距離Ｌを設計基準値から若干調整可能な構造にするなら、大人の人間が主に利用する施設用途のトイレ室ユニットと、子供が多数利用する施設用途のトイレ室ユニットに供することができる。より広く社会に普及しやすい形態になると思われる。
【００６３】
一体型トイレユニットには、トイレ室のドアー１６、壁と天井、床や換気扇、トイレットペーパー供給装置１８、温水シャワーノズル３５と制御装置１９、便器内の汚物排出を行う洗浄水を流す水洗フラッシュノブまたはフラッシュ洗浄光電スイッチシステム、非接触自動手洗い装置のシーケンス（消毒石鹸液供給、手洗い流水、水切り温風乾燥、紫外線殺菌ランプのON/OFF）制御装置３０などがあらかじめ造り付けてあり、トイレユニットとして工場製造製品化していることを特徴としている。
【産業上の利用可能性】
【００６４】
従来型水洗トイレシステムのトイレ動作が感染性有害細菌の感染拡大や、集団食中毒、大規模な院内感染や施設内感染を引き起こす一因にもなっていることを考えると、本発明になる回転便器を有する腰かけ式水洗トイレと非接触自動手洗い装置からなるトイレシステムを使うと手指を極めて衛生的に洗浄するトイレ動作が可能となるから、トイレのスイッチ、ノブ、使用者の衣服などを感染性有害細菌で汚染する可能性は少なくなる。したがって幼児や高齢者が居る家庭、病院、学校、老人ホーム、食品会社、給食調理業、大きな公共施設などに導入されるなら、集団感染や集団食中毒の防止に貢献できるものと思われる。また、トイレ文化の革命的変化をもたらす技術であり、一刻も早く一般社会に普及し、貢献することを願うものである。
【００６５】
本発明による腰かけ式水洗トイレシステムを使用するトイレ動作は、使用する全ての人が従来にない新しいトイレ動作を行う必要があり、教育や表示指示が必要となる。しかし本発明になる腰かけ式水洗トイレシステムによるトイレ動作が衛生的であることが理解されたなら広く一般に急速に広がり、トイレを衛生的に使う社会標準にもなり得る要素を持っている。
【符号の説明】
【００６６】
１  トイレ室床
２  回転便器
３  便器蓋開閉回転軸
４  便座開閉回転軸
５  便座
６  便器下板
７  上部ベアリングレール
８  円筒形ベアリング          
９  ベアリングホルダー
１０  下部ベアリングレール
１１  便器受板
１２  スラストころ軸受
１３  便器蓋
１４  便座緩衝具
１５  トイレ室壁
１６  トイレ室ドアー
１７  トイレ室ドアノブ
１８  トイレットペーパー供給装置
１９  温水シャワー制御装置
２０  非接触自動手洗い装置
２１  流し台排水管
２２  手差し込み口赤外線センサー（座位）
２３  消毒石鹸液注出ノズル
２４  流水注出ノズル
２５  乾燥温風吹き出し口
２６  手洗い装置排気管
２７  紫外線照射ランプ
２８  電磁弁ボックス
２９  リレーボックス
３０  手洗い装置自動シーケンサー
３１  手差し込み口（座位）
３２  手差し込み口（立位）
３３  手差し込み口赤外線センサー（立位）
３４  非接触自動手洗い装置フード
３５  温水シャワーノズル
３６  汚物排水口
３７  汚物排水管
３８  下水管
３９  Ｏリング
４０  Ｏリング押さえ具（上）
４１  Ｏリング押さえ具（下）
４２  市水供給管
４３  高圧フレキシブル配管
４４  軸受上部回転伝達面
４５  中間回転伝達ローラー
４６  ４５の電源遮断位置
４７  プランジャー
４８  ソレノイド
４９  モータ回転ローラー
５０  直流モータ
５１  モータ回転軸
５２  ソレノイドスイッチ
５３  回転リミッタ
５４  リミットスイッチ（Ｓ）
５５  リミットスイッチ（Ｆ）
【図１】
2017101480.tif 000003
【図２】
2017101480.tif 000004
【図２Ａ−１】
2017101480.tif 000005
【図２Ａ−２】
2017101480.tif 000006
【図２Ａ−３】
2017101480.tif 000007
【図２Ａ−４】
2017101480.tif 000008
【図２Ｂ】
2017101480.tif 000009
【図３−１】
2017101480.tif 000010
【図３−２】
2017101480.tif 000011
【図４】
2017101480.tif 000012
【図５】
2017101480.tif 000013
【手続補正書】
【提出日】平成27年12月15日(2015.12.15)
【手続補正１】
【補正対象書類名】明細書
【補正対象項目名】００１２
【補正方法】変更
【補正の内容】
【００１２】
特許文献４は、複数の便器が回転軸を対照に結合されており、その複合された便器全体をプーリで繋ぎ、電動モータ１３の回転力で回転する。効果としては常に一つの便器は洗浄済であり、使用後の便器は洗浄室側に回転して便器洗浄手段によって洗浄される仕組みの特許である。
本願とは複数の便器を回転している点で相違している。
【手続補正２】
【補正対象書類名】明細書
【補正対象項目名】００４８
【補正方法】変更
【補正の内容】
【００４８】
ソレノイド４８のスイッチ５２位置は、図１と図３−１に示したが、便座５の側面で、座った人物の臀部の近くに窪み部を作り、その窪みの中に設けてある。便座５に座ったり、立ち上がったりする通常の動作ではスイッチ５２に触れることは無い位置と構造になっている。ソレノイドスイッチ５２をＯＮする動作は、便座５に座ったまま、手指を使わざるを得ないが、ソレノイドスイッチ５２は図１に示すように便座５の両側に設置してあり、局部を拭いた方の手指とは反対側の指で操作する必要がある。ソレノイドスイッチ５２はトリガースイッチで、いったんＯＮさせたら、外部からＯＦＦするまでＯＮの状態が保持される。将来、ソレノイドスイッチ５２をＯＮする動作を、手指を使わないで行う改良が望まれる。
【手続補正書】
【提出日】平成28年2月22日(2016.2.22)
【手続補正１】
【補正対象書類名】明細書
【補正対象項目名】００１２
【補正方法】変更
【補正の内容】
【００１２】
特許文献４は、複数の便器が回転軸を対照に結合されており、その複合された便器全体をプーリで繋ぎ、電動モータ１３の回転力で回転する。効果としては常に一つの便器は洗浄済であり、使用後の便器は洗浄室側に回転して便器洗浄手段によって洗浄される仕組みの特許である。
本願とは複数の便器を回転している点で相違している。
【手続補正２】
【補正対象書類名】明細書
【補正対象項目名】００４８
【補正方法】変更
【補正の内容】
【００４８】
ソレノイド４８のスイッチ５２位置は、図１と図３−１に示したが、便座５の側面で、座った人物の臀部の近くに窪み部を作り、その窪みの中に設けてある。便座５に座ったり、立ち上がったりする通常の動作ではスイッチ５２に触れることは無い位置と構造になっている。ソレノイドスイッチ５２をＯＮする動作は、便座５に座ったまま、手指を使わざるを得ないが、ソレノイドスイッチ５２は図１に示すように便座５の両側に設置してあり、局部を拭いた方の手指とは反対側の指で操作する必要がある。ソレノイドスイッチ５２はトリガースイッチで、いったんＯＮさせたら、外部からＯＦＦするまでＯＮの状態が保持される。将来、ソレノイドスイッチ５２をＯＮする動作を、手指を使わないで行う改良が望まれる。